(57)【特許請求の範囲】
【請求項１】
矩形の底面および天面と、一対の長さ面および幅面とを有する直方体形状をなし、少なくとも前記天面が前記一対の長さ面および幅面にそれぞれ稜を介してつながる一対の外フラップおよび内フラップにて構成された箱であって、
前記一対の外フラップと前記一対の長さ面とをそれぞれ仕切る第１の稜の一部を含むように前記一対の外フラップの少なくとも一方に形成され、この少なくとも一方の外フラップから、当該少なくとも一方の外フラップが重ね合わされる前記一対の内フラップ側に突出し、前記一対の内フラップに押し当たる開き止めを具えたことを特徴とする箱。
【請求項２】
前記開き止めは、前記第１の稜の一部と平行に前記少なくとも一方の外フラップに形成された折り曲げ線と、前記第１の稜の一部を含むように前記少なくとも一方の外フラップに刻設されて前記折り曲げ線の両端につながる溝形のスリットとで形成されることを特徴とする請求項１に記載の箱。
【請求項３】
前記一対の内フラップに対応して２つの前記開き止めが前記少なくとも一方の外フラップに形成されていることを特徴とする請求項１または請求項２に記載の箱。
【請求項４】
矩形の底面および天面と一対の長さ面および幅面とを有し、少なくとも前記天面が前記一対の長さ面および幅面にそれぞれ稜を介してつながる一対の外フラップおよび内フラップにて構成される直方体形状をなす箱のボックスブランクであって、
第１の外フラップが第１罫線を介してつながる第１の長さ面と、
この第１の長さ面に前記第１罫線と直交する第２罫線を介してつながり、かつ前記第１の外フラップに隣接する第１内フラップが前記第１罫線と一直線状をなす第３罫線を介してつながる第１の幅面と、
この第１の幅面に前記第２罫線と平行な第４罫線を介してつながり、かつ前記第１内フラップに隣接する第２外フラップが前記第３罫線と一直線状をなす第５罫線を介してつながる第２の長さ面と、
この第２の長さ面に前記第４罫線と平行な第６罫線を介してつながり、かつ前記第２外フラップに隣接する第２内フラップが前記第５罫線と一直線状をなす第７罫線を介してつながる第２の幅面と、
前記第１の長さ面および前記第２の幅面の何れか一方に前記第２罫線または前記第６罫線と平行な第８罫線を介してつながり、前記第１の長さ面および前記第２の幅面の何れか他方と重ね合わせた状態で接合される継ぎしろと、
前記第１罫線に近接してこれと平行に前記第１の外フラップに形成された折り曲げ線と、
前記第１罫線の一部を含むように前記第１の外フラップに刻設され、前記折り曲げ線の両端にそれぞれつながって前記折り曲げ線と共に開き止めの輪郭を画成する溝形のスリットと
を具えたことを特徴とするボックスブランク。
【請求項５】
前記開き止めは、前記第２または第８罫線側の前記第１の外フラップの端縁から、前記第２または第８罫線に沿った前記第１内フラップの長さに対応した距離までの領域にあることを特徴とする請求項４に記載のボックスブランク。
【請求項６】
前記第１および第２内フラップに対応して２つの前記折り曲げ線と２つの前記溝形のスリットとが前記第１の外フラップに形成されていることを特徴とする請求項４または請求項５に記載のボックスブランク。
【請求項７】
前記第１および第３および第５および第７罫線がそれぞれスコアであり、前記第２および第４および第６および第８罫線がそれぞれクリーズであることを特徴とする請求項４から請求項６までの何れか一項に記載のボックスブランク。
【請求項８】
請求項４から請求項７までの何れか一項に記載のボックスブランクを胴貼りし、前記第４および第８罫線を折り曲げて平らに畳んだ状態にあることを特徴とする箱。
【発明の詳細な説明】
【技術分野】
【０００１】
本発明は、底面および天面の少なくとも一方が一対の内フラップおよび外フラップにて構成された直方体形状の箱およびそのボックスブランクに関する。
【背景技術】
【０００２】
交互に配列する長さ面と幅面とが継ぎしろを介してつながり、開口部分が一対の内フラップと、これらに重ね合わされる外フラップとで塞がれるワンピース構成の包装箱が商業的に用いられている。これらは、ＪＩＳ−Ｚ１５０７において、０２形（溝切り形）や０４形（組立て形）などの段ボール箱として周知であり、多種多様な物品を収容するためのさまざまな形態のものが規定されている。このような段ボール製の箱に内容物を収容して梱包する場合、最終的に外フラップを内フラップに重ね合わせて外フラップの突合せ部分をテープなどで封緘する必要があり、例えば特開２０１２−２３２７９５号公報などで周知である。
【先行技術文献】
【特許文献】
【０００３】
【特許文献１】特開２０１２−２３２７９５号公報
【発明の概要】
【発明が解決しようとする課題】
【０００４】
天面が一対の内フラップおよび外フラップにて構成された直方体形状の段ボール箱に内容物を入れてこれを封緘する場合、一対の内フラップを内側に折り曲げた後、これら内フラップに重なるように一対の外フラップを内側に折り曲げる必要がある。この時、内フラップはそのスプリングバックによって元の起立した状態へと戻りやすく、外フラップを内側に折り曲げる作業が阻害される。このため、内フラップのスプリングバックに抗して内フラップを内容物側に押し付けながら外フラップを内側に折り曲げる必要があり、段ボール箱の円滑かつ迅速な封緘作業が阻害される。これは、特に長尺の段ボール箱の場合に顕著となる。
【０００５】
本発明の目的は、封緘する際に内フラップのスプリングバックによる悪影響を解消して梱包作業を容易かつ迅速に行い得る箱およびボックスブランクを提供することにある。
【課題を解決するための手段】
【０００６】
上述した目的を達成し得る本発明の第１の形態は、矩形の底面および天面と、一対の長さ面および幅面とを有する直方体形状をなし、前記底面および天面の少なくとも一方が前記一対の長さ面および幅面にそれぞれ稜を介してつながる一対の外フラップおよび内フラップにて構成された箱であって、前記一対の外フラップと前記一対の長さ面とをそれぞれ仕切る第１の稜の一部を含むように前記一対の外フラップの少なくとも一方に形成され、この少なくとも一方の外フラップから、当該少なくとも一方の外フラップが重ね合わされる前記一対の内フラップ側に突出し、前記一対の内フラップに押し当たる開き止めを具えたことを特徴とするものである。
【０００７】
本発明においては、箱の封緘時に内フラップを内側に折り曲げる際、これと隣り合う外フラップからその内側に突出する開き止めを内フラップが通過し、幅面に対して内フラップをほぼ９０度折り曲げた時点で開き止めが内フラップの端縁上面に引っ掛かる。これにより、スプリングバックによる内フラップの戻りが阻止され、内フラップのスプリングバックに影響されることなく、外フラップを折り重ねることができる。
【０００８】
本発明の第１の形態による箱において、前記開き止めは、前記第１の稜の一部と平行に前記少なくとも一方の外フラップに形成された折り曲げ線と、前記第１の稜の一部を含むように前記少なくとも一方の外フラップに刻設されて前記折り曲げ線の両端につながる溝形のスリットとで形成することができる。
【０００９】
前記一対の内フラップに対応して２つの前記開き止めを前記少なくとも一方の外フラップに形成することができる。
【００１０】
前記第１および第２外フラップが突合せフラップであってよい。
【００１１】
本発明の第２の形態は、矩形の底面および天面と一対の長さ面および幅面とを有し、前記底面および天面の少なくとも一方が前記一対の長さ面および幅面にそれぞれ稜を介してつながる一対の外フラップおよび内フラップにて構成される直方体形状をなす箱のボックスブランクであって、第１の外フラップが第１罫線を介してつながる第１の長さ面と、この第１の長さ面に前記第１罫線と直交する第２罫線を介してつながり、かつ前記第１の外フラップに隣接する第１内フラップが前記第１罫線と一直線状をなす第３罫線を介してつながる第１の幅面と、この第１の幅面に前記第２罫線と平行な第４罫線を介してつながり、かつ前記第１内フラップに隣接する第２外フラップが前記第３罫線と一直線状をなす第５罫線を介してつながる第２の長さ面と、この第２の長さ面に前記第４罫線と平行な第６罫線を介してつながり、かつ前記第２外フラップに隣接する第２内フラップが前記第５罫線と一直線状をなす第７罫線を介してつながる第２の幅面と、前記第１の長さ面および前記第２の幅面の何れか一方に前記第２罫線または前記第６罫線と平行な第８罫線を介してつながり、前記第１の長さ面および前記第２の幅面の何れか他方と重ね合わせた状態で接合される継ぎしろと、前記第１罫線に近接してこれと平行に前記第１の外フラップに形成された折り曲げ線と、前記第１罫線の一部を含むように前記第１の外フラップに刻設され、前記折り曲げ線の両端にそれそれつながって前記折り曲げ線と共に開き止めの輪郭を画成する溝形のスリットとを具えたことを特徴とするものである。
【００１２】
本発明の第２の形態による箱のボックスブランクにおいて、前記開き止めは、前記第２または第８罫線側の前記第１の外フラップの端縁から、前記第２または第８罫線に沿った前記第１内フラップの長さに対応した距離までの領域にあることが好ましい。
【００１３】
前記第１および第２内フラップに対応して２つの前記折り曲げ線と２つの前記溝形のスリットとを前記第１の外フラップに形成することができる。
【００１４】
前記第１および第３および第５および第７罫線がそれぞれスコアであり、前記第２および第４および第６および第８罫線がそれぞれクリーズであることが好ましい。
【００１５】
本発明の第３の形態は、本発明の第２の形態によるボックスブランクを胴貼りし、前記第４および第８罫線を折り曲げて平らに畳んだ状態にあることを特徴とする箱にある。
【００１６】
本発明の第３の形態による箱において、前記第３および第７罫線が一度も折り曲げられていないことが有効である。
【発明の効果】
【００１７】
本発明によると、外フラップに開き止めが設けられているので、内フラップを折り曲げた際に開き止めが内フラップのスプリングバックを阻止し、箱の封緘作業を容易かつ迅速に行うことが可能となる。
【００１８】
開き止めを第１の外フラップに形成された折り曲げ線と、第１の外フラップに刻設されて折り曲げ線の両端につながる溝形のスリットとで形成した場合、内フラップを内側に折り曲げる際に開き止めの干渉を避けることができる。
【００１９】
開き止めを第２または第８罫線側の第１の外フラップの端縁から、第２または第８罫線に沿った第１内フラップの長さに対応した距離までの領域にあると、開き止めを確実に機能させることができる。
【００２０】
第１および第２内フラップに対応して２つの折り曲げ線と２つの溝形のスリットとを第１の外フラップに形成すると、箱を動かすことなく、第１の外フラップから開き止めを内側に折り曲げる作業を容易に行うことができる。
【００２１】
第１および第３および第５および第７罫線をそれぞれスコアとし、第２および第４および第６および第８罫線をそれぞれクリーズとした場合、箱の圧縮強度を最大限に高めることができる。
【図面の簡単な説明】
【００２２】
【図１】本発明による箱をＪＩＳ−Ｚ１５０７で規定された０２０１形の段ボール箱に適用した一実施形態の外観を表す立体投影図である。
【図２】図１に示した箱のボックスブランクの外観を表す平面図である。
【図３】図２に示したボックスブランクを胴貼りして畳んだ状態の箱の外観を表す立体投影図である。
【図４】図３に示した箱の底面の外フラップをテープ止めした状態の外観を表す立体投影図である。
【図５】図３に示した箱の天面の内フラップを折り曲げた状態の外観を表す立体投影図である。
【図６】図５中のVI−VI矢視に沿った箱の構造を模式的に表す断面図である。
【発明を実施するための形態】
【００２３】
本発明による箱をＪＩＳ−Ｚ１５０７で規定された０２０１形の段ボール箱に適用した一実施形態について、図１〜図６を参照しながら詳細に説明する。なお、本発明はこのような実施形態のみに限らず、天面および底面の少なくとも一方が一対の内フラップと外フラップとで構成された箱でありさえすれば、０２０１形以外の任意の構造の箱に適用させることが可能である。
【００２４】
本実施形態による箱の梱包状態の外観を図１に示し、そのボックスブランクの外観を図２に示し、このボックスブランクを胴貼りして畳んだ状態の箱の外観を図３に示す。すなわち、図示しない内容物を収容するための本実施形態における箱１０は、矩形の底面１１および天面１２と、第１および第２の長さ面１３，１５と、第１および第２の幅面１４，１６とを具えた直方体形状をなす。
【００２５】
第１の長さ面１３は、上部および下部第１外フラップ１７Ａ，１７Ｂが稜、すなわち上部および下部第１罫線Ｓ１Ａ，Ｓ１Ｂを介してつながっている。第１の幅面１４は、第１の長さ面１３に第１罫線Ｓ１Ａ，Ｓ１Ｂと直交する稜、すなわち第２罫線Ｃ２を介してつながっている。また、この第１の幅面１４は、上部および下部第１外フラップ１７Ａ，１７Ｂにそれぞれ隣接する上部および下部第１内フラップ１８Ａ，１８Ｂが第１罫線Ｓ１Ａ，Ｓ１Ｂおよび第２罫線Ｃ２と直交する稜、すなわち上部および下部第３罫線Ｓ３Ａ，Ｓ３Ｂを介してつながっている。第２の長さ面１５は、第１の幅面１４に第２罫線Ｃ２と平行な稜、すなわち第４罫線Ｃ４を介してつながっている。また、この第２の長さ面１５は、上部および下部第１内フラップ１８Ａ，１８Ｂにそれそれ隣接する上部および下部第２外フラップ１９Ａ，１９Ｂが上部および下部第３罫線Ｓ３Ａ，Ｓ３Ｂおよび第４罫線Ｃ４と直交する稜、すなわち上部および下部第５罫線Ｓ５Ａ，Ｓ５Ｂを介してつながっている。第２の幅面１６は、第２の長さ面１５に第４罫線Ｃ４と平行な稜、すなわち第６罫線Ｃ６を介してつながっている。また、この第２の幅面１６は、上部および下部第２外フラップ１９Ａ，１９Ｂにそれぞれ隣接する上部および下部第２内フラップ２０Ａ，２０Ｂが第５罫線Ｓ５Ａ，Ｓ５Ｂおよび第６罫線Ｃ６と直交する稜、すなわち上部および下部第７罫線Ｓ７Ａ，Ｓ７Ｂを介してつながっている。
【００２６】
本実施形態における第１の長さ面１３には、第２罫線Ｃ２と平行な稜、すなわち第８罫線Ｃ８を介して継ぎしろ２１がつながり、第２の幅面１６と重ね合わせた状態で接合、つまり胴貼りされている。従って、第２の幅面１６は、第１の長さ面１３に第６罫線Ｃ６と平行な稜、すなわち第８罫線Ｃ８を介してつながっており、上部および下部第７罫線Ｓ７Ａ，Ｓ７Ｂは、第１罫線Ｓ１Ａ，Ｓ１Ｂおよび第８罫線Ｃ８に対しても直交している。なお、継ぎしろ２１を第２の幅面１６に第６罫線Ｃ６と平行な第８罫線Ｃ８を介してつなげ、第１の長さ面１３と重ね合わせた状態で接合することも可能である。
【００２７】
本実施形態における箱１０は０２０１形であるので、上部第１および第２外フラップ１７Ａ，１９Ａと、上部第１および第２内フラップ１８Ａ，２０Ａとで天面１２が構成される。同様に、下部第１および第２外フラップ１７Ｂ，１９Ｂと、下部第１および第２内フラップ１８Ｂ，２０Ｂとで底面１１が構成される。しかしながら、底面１１または天面１２のみを一対の外フラップおよび内フラップにて構成した箱であっても、本発明を適用させることが可能である。本実施形態では一対の上部および下部外フラップ１７Ａ，１７Ｂ，１９Ａ，１９Ｂが共に突合せフラップであり、それぞれテープ２２Ａ，２２Ｂを用いて封緘されるが、これに限定されず、ステッチまたは接着剤などを用いて封緘することも可能である。
【００２８】
天面１２の一部を構成する上部第１外フラップ１７Ａには、上部第１および第２内フラップ１８Ａ，２０Ａに対応した２つの開き止め２３が第１の長さ面１３の長手方向（図２中、左右方向）両側部に形成されている。個々の開き止め２３は、上部第１罫線Ｓ１Ａに近接してこれと平行に上部第１外フラップ１７Ａに形成された折り曲げ線２３Ｌと、この折り曲げ線２３Ｌと共に開き止め２３の輪郭を画成する溝形のスリット２３Ｓとを具えている。溝形のスリット２３Ｓはまた、上部第１外フラップ１７Ａと第１の長さ面１３とを仕切る上部第１罫線Ｓ１Ａの一部を含むように、上部第１外フラップ１７Ａに刻設されている。
【００２９】
本実施形態では、上述した第１，第３，第５，第７罫線Ｓ１Ａ，Ｓ１Ｂ，Ｓ３Ａ，Ｓ３Ｂ，Ｓ５Ａ，Ｓ５Ｂ，Ｓ７Ａ，Ｓ７Ｂがそれぞれスコアであって、第２，第４，第６，第８罫線Ｃ２，Ｃ４，Ｃ６，Ｃ８はそれぞれクリーズとなるように設定されている。これにより、箱１０の圧縮強度、つまり積み重ね強度を高めることができる。
【００３０】
このような箱１０は、図２に示すボックスブランク１０Ｃを胴貼りした箱１０の底面１１および天面１２を組み立てることによって得られる。図３に示すように、第４，第８罫線Ｃ４，Ｃ８を折り曲げて平らに畳んだ状態の箱１０は、通常、相互に積み重ねられ、これらの箱１０を実際に組み立てて使用する場所まで運ばれる。この場合、上部第３，第７罫線Ｓ３Ａ，Ｓ７Ａが一度も折り曲げられておらず、上部第１および第２内フラップ１８Ａ，２０Ａを折り曲げる際に大きなスプリングバックを生じやすい未使用の箱１０の場合、本発明の効果を最大限に発揮させることができる。なお、上述した第４，第８罫線Ｃ４，Ｃ８に代え、第２，第６罫線Ｃ２，Ｃ６を折り曲げて箱１０を平らに畳むことも当然可能である。
【００３１】
図３に示す状態から、箱１０の一対の長さ面１３，１５および幅面１４，１６を矩形に開き、下部第１および第２内フラップ１８Ｂ，２０Ｂを下部第３，第７罫線Ｓ３Ｂ，Ｓ７Ｂから内側に９０度折り曲げる。そして、下部第１および第２外フラップ１７Ｂ，１９Ｂを下部第１，第５罫線Ｓ１Ｂ，Ｓ５Ｂから内側に９０度折り曲げ、これらの突合せ部分をテープ２２Ｂで封緘し、箱１０の底面１１を画成する（図４参照）。この状態にて図示しない内容物を箱１０の天面１２側から投入し、上部第１外フラップ１７Ａに設けられた開き止め２３を折り曲げ線２３Ｌから内側に（第２上部外フラップ１９Ａ側に）折り曲げ、この状態にて上部第１および第２内フラップ１８Ａ，２０Ａを上部第３，第７罫線Ｓ３Ａ，Ｓ７Ａから９０度内側に折り曲げる。上部第１および第２内フラップ１８Ａ，２０Ａが開き止め２３を通過した時点で、作業者は上部第１および第２内フラップ１８Ａ，２０Ａから手を離すことができる。この時、上部第１および第２内フラップ１８Ａ，２０Ａがスプリングバックによって図４に示す元の状態へと戻ろうとする。しかしながら、図５およびそのVI−VI矢視に沿った断面構造を表す図６に示すように、上部第１および第２内フラップ１８Ａ，２０Ａの上面に開き止め２３が引っ掛かり、上部第１および第２内フラップ１８Ａ，２０Ａは図５，図６に示す閉じた状態に保たれる。従って、上部第１および第２外フラップ１７Ａ，１９Ａを上部第１，第５罫線Ｓ１Ａ，Ｓ５Ａから９０度折り曲げる際に、上部第１および第２内フラップ１８Ａ，２０Ａが干渉せず、上部第１および第２外フラップ１７Ａ，１９Ａを容易かつ迅速に折り曲げることかできる。このようにして折り曲げた上部第１および第２外フラップ１７Ａ，１９Ａの突合せ部分をテープ２２Ａにて封緘することにより、箱１０の梱包を完了する。
【００３２】
上述した開き止め２３の機能を正しく発揮させるため、その位置を適切に設定する必要がある。すなわち、箱１０の封緘時に上部第１および第２外フラップ１７Ａ，１９Ａを上部第１および第５罫線Ｓ１Ａ，Ｓ５Ａから折り曲げた場合、一対の開き止め２３が第１上部および第２内フラップ１８Ａ，２０Ａと重なるように、開き止め２３の位置を規定しなければならない。具体的には、第１の長さ面１３と第１および第２の幅面１４，１６との境界をなす稜、すなわち第２，第８罫線Ｃ２，Ｃ８から開き止め２３までの距離Ｄは、上部第１および第２内フラップ１８Ａ，２０Ａの長さＬ未満に設定することが好ましい。
【００３３】
本実施形態では、２つの開き止め２３を上部第１外フラップ１７Ａに設けたが、片方の開き止め２３を上部第２外フラップ１９Ａに設けることも可能である。また、これら２つの開き止め２３を上部第１外フラップ１７Ａに加えて上部第２外フラップ１９Ａにも設けることができる。さらに、上述したような２つの開き止め２３を下部第１および第２外フラップ１７Ｂ，１９Ｂの少なくとも一方に形成することも可能である。
【００３４】
なお、箱１０が細長くない立方体形状に近い場合には、開き止め２３を外フラップの中央に１つだけ設け、一対の内フラップに対して兼用させることも可能である。
【００３５】
このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００３６】
１０  箱
１０Ｃ  ボックスブランク
１１  底面
１２  天面
１３  第１の長さ面
１４  第１の幅面
１５  第２の長さ面
１６  第２の幅面
１７Ａ  上部第１外フラップ
１８Ａ  上部第１内フラップ
１９Ａ  上部第２外フラップ
２０Ａ  上部第２内フラップ
２０Ｂ  下部第２内フラップ
２１  継ぎしろ
２３  開き止め
２３Ｌ  折り曲げ線
２３Ｓ  溝形のスリット
Ｓ１Ａ  上部第１罫線
Ｓ３Ａ  上部第３罫線
Ｓ５Ａ  上部第５罫線
Ｓ７Ａ  上部第７罫線
Ｃ２  第２罫線
Ｃ４  第４罫線
Ｃ６  第６罫線
Ｃ８  第８罫線
Ｄ  第２，第８罫線から開き止めまでの距離
Ｌ  上部第１および第２内フラップの長さ
【図１】
0006988658.tif 000002
【図２】
0006988658.tif 000003
【図３】
0006988658.tif 000004
【図４】
0006988658.tif 000005
【図５】
0006988658.tif 000006
【図６】
0006988658.tif 000007